(57)【要約】【課題】作業対象箇所の安全性の確認の容易化を図ること。【解決手段】電源と負荷とを電気的に接続する継電器端子台１００において、直流の正電圧あるいは交流電圧が印加された場合に発光する第１の発光ダイオード１１０Ａ〜１１０Ｆと、直流の負電圧あるいは交流電圧が印加された場合に発光する第２の発光ダイオード１２０Ａ〜１２０Ｆと、を備えた検電回路３０４Ａ〜３０４Ｆを備え、検電回路３０４Ａ〜３０４Ｆを正極側の端子３０１Ａ〜３０１Ｃおよび負極側の端子３０２Ａ〜３０２Ｃにそれぞれ接続した。【選択図】図３
2011141250.tif 000002
【特許請求の範囲】
【請求項１】
電源と負荷とを電気的に接続する接続機器であって、
直流の正電圧あるいは交流電圧が印加された場合に発光する第１の発光ダイオードと、直流の負電圧あるいは交流電圧が印加された場合に発光する第２の発光ダイオードと、を備えた検電回路を備え、
前記検電回路を前記正極側の端子および前記負極側の端子にそれぞれ接続したことを特徴とする接続機器。
【請求項２】
前記第１の発光ダイオードと前記第２の発光ダイオードとは、それぞれ異なる色で発光することを特徴とする請求項１に記載の接続機器。
【請求項３】
前記正極側の端子および前記負極側の端子を支持する筐体を備え、
前記第１の発光ダイオードおよび前記第２の発光ダイオードは、前記筐体の外方に突出していることを特徴とする請求項１または２に記載の接続機器。
【請求項４】
前記検電回路と接地点との間に設けられた抵抗部材を備えたことを特徴とする請求項１〜３のいずれか一つに記載の接続機器。
【発明の詳細な説明】
【技術分野】
【０００１】
この発明は、電源と負荷との接続に用いる接続機器に関する。
【背景技術】
【０００２】
電気設備に対する作業に際しては、当該電気設備において作業対象となる部位が電気を帯びていると感電などの危険度が大きくなる。このため、従来、たとえば電気設備に対する作業に際しては、電気設備に対する作業に先立って、必要に応じて電気設備に対する電気の供給を停止し、作業対象部位が電気を帯びているか否かを判別する行為、いわゆる検電をおこなっている。
【０００３】
電気設備に対する作業には、たとえば、電気所の機器を制御する継電器や補助継電器に対する入力電圧の確認や当該継電器や補助継電器の動作状況の確認などのように、電気設備に対する各種の確認作業があった。このような確認作業は、電気を停止させない状態いわゆる活線状態において、電圧計やテスターを用いて電圧の有無を測定することによっておこなわれる。
【０００４】
継電器や補助継電器が設置されている場所が狭い場合、電圧の有無を測定する際に測定部位に対して電圧計を接続することが難しかったり、電圧計を狭い場所に設置して測定するために電圧計の指示値を視認できなかったりする場合があった。
【０００５】
具体的には、従来、たとえば端子が充電すると，その端子に接続された表示灯を点灯させることにより、端子が充電されているかどうかを案内するようにした技術があった（たとえば、下記特許文献１〜３を参照。）。
【先行技術文献】
【特許文献】
【０００６】
【特許文献１】特開平３−１５０４７５号公報
【特許文献２】特開平３−２６６３８１号公報
【特許文献３】実開平５−０８８１２１号公報
【発明の概要】
【発明が解決しようとする課題】
【０００７】
しかしながら、上述した特許文献１〜３を含む従来の技術では、端子に入力された電圧の種類が判断できないという問題があった。具体的には、たとえば、端子に入力された電圧が直流電圧であるのか交流電圧であるのかが判断できないという問題があった。また、表示灯が破損するなどして表示灯内部のインピーダンスが低下した場合に、端子台に接続された負荷などの既設回路に対して悪影響が生じるという問題があった。
【０００８】
この発明は、上述した従来技術による問題点を解消するため、作業対象箇所の安全性の確認の容易化を図ることを目的とする。
【課題を解決するための手段】
【０００９】
上述した課題を解決し、目的を達成するため、この発明にかかる接続機器は、電源と負荷とを電気的に接続する接続機器であって、直流の正電圧あるいは交流電圧が印加された場合に発光する第１の発光ダイオードと、直流の負電圧あるいは交流電圧が印加された場合に発光する第２の発光ダイオードと、を備えた検電回路を備え、前記検電回路を前記正極側の端子および前記負極側の端子にそれぞれ接続したことを特徴とする。
【００１０】
また、この発明にかかる接続機器は、上記の発明において、前記第１の発光ダイオードと前記第２の発光ダイオードとが、それぞれ異なる色で発光することを特徴とする。
【００１１】
また、この発明にかかる接続機器は、上記の発明において、前記正極側の端子および前記負極側の端子を支持する筐体を備え、前記第１の発光ダイオードおよび前記第２の発光ダイオードが、前記筐体の外方に突出していることを特徴とする。
【００１２】
また、この発明にかかる接続機器は、上記の発明において、前記検電回路と接地点との間に設けられた抵抗部材を備えたことを特徴とする。
【００１３】
上記の発明によれば、正極側の端子および負極側の端子における充電の有無を目視によって確認することができる。
【発明の効果】
【００１４】
この発明にかかる接続機器によれば、正極側の端子および負極側の端子における充電の有無を目視によって確認することができるので、作業対象箇所の安全性の確認の容易化を図ることができるという効果を奏する。
【図面の簡単な説明】
【００１５】
【図１】この発明にかかる実施の形態の継電器端子台の構成を示す説明図（その１）である。
【図２】この発明にかかる実施の形態の継電器端子台の構成を示す説明図（その２）である。
【図３】この発明にかかる実施の形態の継電器端子台の内部構成を示す説明図である。
【発明を実施するための形態】
【００１６】
以下に添付図面を参照して、この発明にかかる接続機器の好適な実施の形態を詳細に説明する。この実施の形態においては、この発明にかかる接続機器を継電器端子台によって実現した一例について説明する。
【００１７】
（継電器端子台の構成）
まず、この発明にかかる実施の形態の継電器端子台の構成について説明する。図１および図２は、この発明にかかる実施の形態の継電器端子台の構成を示す説明図である。図１および図２においては、この発明にかかる実施の形態の継電器端子台の外観を示している。図１においては、この発明にかかる実施の形態の継電器端子台を正面側から見た状態を示している。図２においては、この発明にかかる実施の形態の継電器端子台を側方から見た状態を示している。
【００１８】
図１および図２において、この発明にかかる実施の形態の継電器端子台１００は、筐体１０１を備えている。筐体１０１は、たとえば壁や所定の電気機などに固定される。筐体１０１の正面には、複数の端子ネジ１０２、１０３、１０４、１０５、１０６、１０７が設けられている。複数の端子ネジ１０２、１０３、１０４、１０５、１０６、１０７は、電気の供給方向における上流側および下流側において対をなすように、偶数個設けられている。
【００１９】
複数の端子ネジ１０２、１０３、１０４、１０５、１０６、１０７のうち、電気の供給方向における上流側に設けられた端子ネジ（電源側の端子ネジ）１０２、１０３、１０４は、電源に接続された端子（正極側の端子、図３を参照）に電気的に接続される。電源側の端子ネジ１０２、１０３、１０４は、筐体１０１に対して脱離可能に螺合されている。これにより、電源側の端子ネジ１０２、１０３、１０４は、正極側の端子に対して切断可能に接続されている。
【００２０】
また、複数の端子ネジ１０２、１０３、１０４、１０５、１０６、１０７のうち、電気の供給方向における下流側に設けられた端子ネジ（負荷側の端子ネジ）１０５、１０６、１０７は、電気的な負荷に接続された端子（負極側の端子、図３を参照）に電気的に接続される。負荷側の端子ネジ１０５、１０６、１０７は、筐体１０１に対して脱離可能に螺合されている。これにより、負荷側の端子ネジ１０５、１０６、１０７は、負極側の端子に対して切断可能に接続されている。
【００２１】
複数の端子ネジ１０２、１０３、１０４、１０５、１０６、１０７は、導電性を備えている。複数の端子ネジ１０２、１０３、１０４、１０５、１０６、１０７は、それぞれ、たとえば、鉄やアルミニウムなどを用いて形成された端子ネジ本体に、亜鉛メッキ六価クロメートや亜鉛メッキ三価クロメートなどのクロメート処理がほどこされた亜鉛メッキを設け、表面を不動態化することによって構成されている。クロメート処理をほどこすことによって、端子ネジ１０２、１０３、１０４、１０５、１０６、１０７の表面に自己修復性の皮膜が形成されるので、変色を防止し、耐食性の向上を図ることができる。
【００２２】
複数の端子ネジ１０２、１０３、１０４、１０５、１０６、１０７は、それぞれ、筐体１０１によって支持されている。複数の端子ネジ１０２、１０３、１０４、１０５、１０６、１０７は、それぞれ、先端側から筐体１０１に螺合されることによって、当該筐体１０１によって支持されている。複数の端子ネジ１０２、１０３、１０４、１０５、１０６、１０７は、それぞれ、筐体１０１に螺合されることによって、正極側の端子および負極側の端子にそれぞれ電気的に接続される。
【００２３】
電源側の端子ネジ１０２、１０３、１０４と負荷側の端子ネジ１０５、１０６、１０７との間には、継電器本体１０８が設けられている。継電器本体１０８は、電源側の端子ネジ１０２、１０３、１０４および負荷側の端子ネジ１０５、１０６、１０７に電気的に接続されている。継電器本体１０８は、負荷の状態（電気量）に応じて、制御用の電気信号を出力することで電気回路を制御する電力機器であって、たとえば、電力設備の保護を目的とした保護継電器や、電力量の把握や管理などを目的とした省エネ用継電器などが存在する。
【００２４】
保護継電器は、たとえば、負荷において電力や電圧が急激に変化するなどの異常状態を検出した場合に、保護継電器に接続されている遮断器などの開閉器へ制御信号を出力し、異常個所を切り離す。これにより、異常状態の発生による負荷の損傷などの悪影響を最小限に抑えることができる。保護継電器は、たとえば、電力系統や電源回路の監視および保護を目的として設けられる。
【００２５】
筐体１０１には、第１の発光ダイオード１１０Ａ、１１０Ｂ、１１０Ｃ、１１０Ｄ、１１０Ｅ、１１０Ｆと、第２の発光ダイオード１２０Ａ、１２０Ｂ、１２０Ｃ、１２０Ｄ、１２０Ｅ、１２０Ｆと、が設けられている。一つの第１の発光ダイオード１１０Ａ、１１０Ｂ、１１０Ｃ、１１０Ｄ、１１０Ｅおよび１１０Ｆと、一つの第２の発光ダイオード１２０Ａ、１２０Ｂ、１２０Ｃ、１２０Ｄ、１２０Ｅおよび１２０Ｆと、によってそれぞれ構成される発光ダイオード対１３０Ａ、１３０Ｂ、１３０Ｃ、１３０Ｄ、１３０Ｅ、１３０Ｆは、端子ネジごとに設けられている。発光ダイオード対１３０は、それぞれ、各端子ネジ１０２〜１０７の近傍に設けられている。
【００２６】
第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆは、ともに、順方向に電圧を加えた際に発光する半導体素子であって、ＬＥＤ（Ｌｉｇｈｔ  Ｅｍｉｔｔｉｎｇ  Ｄｉｏｄｅ）などと称される。第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆは、エレクトロルミネセンス（Ｅｌｅｃｔｒｏ−Ｌｕｍｉｎｅｓｃｅｎｃｅ：ＥＬ）効果を利用した発光原理により発光する。
【００２７】
第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆは、その他の一般的なダイオードと同様に、整流作用（電流を一定方向にしか流さない作用）を備えた電子素子によって実現される。第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆを実現する発光ダイオードは、白熱電球などと比較して寿命が長く、発光ダイオードにおける発光素子自体は、ほぼ半永久的に使用することができる。
【００２８】
なお、ＬＥＤが使用不能になる原因としては、電極部分の金属の酸化、劣化、過熱あるいは衝撃などによる発光ダイオード内部における金線の断線が挙げられる。あるいは、発光ダイオードに用いられている封止樹脂が劣化することによって透光性が低下し、発光量が一定以下になることなどが挙げられる。
【００２９】
発光ダイオードは、半導体を用いたＰＮ接合と称される構造を備えており、この構造の中で電子の持つエネルギーを直光エネルギーに変換することによって発光がおこなわれる。電極から半導体に注入された電子と正孔は異なったエネルギー帯（伝導帯と価電子帯）を流れ、ＰＮ接合部付近にて禁制帯を越えて再結合する。再結合の際にほぼ禁制帯幅（バンドギャップ）に相当するエネルギーが光子、すなわち光として放出され発光する。発光ダイオードは、発光に際して、熱や運動の介在を必要としない。
【００３０】
発光ダイオードの電気的特性は、他の一般的なダイオードと同様、極性を持っておりカソード（陰極）に対しアノード（陽極）に正電圧を加えて使用する。発光ダイオードは、印加される電圧が低い間は電圧を上げても電流が殆ど増えず発光もしないが、或る電圧を超えると電圧上昇に対する電流の増え方が急になり、電流量に応じて発光する。
【００３１】
発光ダイオードは、一般的なシリコンダイオードと比較して、上記の或る電圧（順方向降下電圧）が高い。発光ダイオードにおける順方向降下電圧は、発光色によって異なり、赤外光を発光する場合は１．４Ｖ程度、赤色光・橙色光・黄色光・緑色光を発光する場合は２．１Ｖ程度、白色光・青色光を発光する場合は３．５Ｖ程度が必要とされている。
【００３２】
発光ダイオードの発光光の波長は、発光ダイオードを形成する材料のバンドギャップによって決められる。発光ダイオードの発光光は、基本的に、単一色であって自由度が低いとされているが、近年では青色または紫色や紫外線を発する発光ダイオードの表面に蛍光塗料を塗布することによって、白色や電球色など様々な中間色とすることも可能とされている。
【００３３】
第１の発光ダイオード１１０Ａ、１１０Ｂ、１１０Ｃ、１１０Ｄ、１１０Ｅ、１１０Ｆと第２の発光ダイオード１２０Ａ、１２０Ｂ、１２０Ｃ、１２０Ｄ、１２０Ｅ、１２０Ｆとは、それぞれ異なる色で発光する。この実施の形態においては、具体的には、たとえば、第１の発光ダイオード１１０Ａ、１１０Ｂ、１１０Ｃ、１１０Ｄ、１１０Ｅ、１１０Ｆは赤色光に発光し、第２の発光ダイオード１２０Ａ、１２０Ｂ、１２０Ｃ、１２０Ｄ、１２０Ｅ、１２０Ｆは青色光で発光する。
【００３４】
第１の発光ダイオード１１０Ａ、１１０Ｂ、１１０Ｃ、１１０Ｄ、１１０Ｅ、１１０Ｆは赤色光に発光するものに限らず、第２の発光ダイオード１２０Ａ、１２０Ｂ、１２０Ｃ、１２０Ｄ、１２０Ｅ、１２０Ｆは青色光で発光するものに限らない。具体的には、たとえば青色光で発光する発光ダイオードによって第１の発光ダイオード１１０Ａ、１１０Ｂ、１１０Ｃ、１１０Ｄ、１１０Ｅ、１１０Ｆを実現し、赤色光で発光する発光ダイオードによって第２の発光ダイオード１２０Ａ、１２０Ｂ、１２０Ｃ、１２０Ｄ、１２０Ｅ、１２０Ｆを実現するようにしてもよい。
【００３５】
一般的に、発光ダイオードの発光色は、発光ダイオードの形成に用いる材料によって異なる。発光ダイオードの発光色の波長範囲は、赤外線領域〜可視光域〜紫外線領域と広範囲にわたる。この実施の形態において、第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆは、互いに異なる発光色で発光するものであればよい。第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆは、ともに、人間が視認可能な発光色で発光する。
【００３６】
発光ダイオードは、簡易な構成であるため、安価に大量生産することが可能とされている。また、発光ダイオードは、たとえば電球などと異なり、フィラメントを用いることなく発光する。このため、発光ダイオードは、軽量であって、衝撃に強く、長寿命とされている。発光ダイオードを用いることにより、継電器端子台１００の軽量化、高耐久化、長寿命化を図ることができる。
【００３７】
第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆは、ともに、筐体１０１の正面において、筐体１０１の外方に突出している。これにより、継電器端子台１００を正面から見た場合に限らず、継電器端子台１００を側方から見た場合にも、筐体１０１の側方から、第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆを視認することができる。
【００３８】
筐体１０１における継電器本体１０８よりも電源側において、一つの第１の発光ダイオード１１０Ａ、１１０Ｂ、１１０Ｃ、１１０Ｄ、１１０Ｅ、１１０Ｆと一つの第２の発光ダイオード１２０Ａ、１２０Ｂ、１２０Ｃ、１２０Ｄ、１２０Ｅ、１２０Ｆとによって構成される発光ダイオード対１３０Ａ、１３０Ｂ、１３０Ｃ、１３０Ｄ、１３０Ｅ、１３０Ｆは、電源側の端子ネジ１０２、１０３、１０４と負荷側の端子ネジ１０５、１０６、１０７との対向方向における位置が、電源側および負荷側における端子ネジ１０２〜１０７の配列方向（図１における紙面左右方向）において互い違いとなるように、交互に設けられている。
【００３９】
図３は、この発明にかかる実施の形態の継電器端子台１００の内部構成を示す説明図である。図３において、符号３０１Ａ、３０１Ｂ、３０１Ｃは、正極側の端子を示している。正極側の端子３０１Ａ、３０１Ｂ、３０１Ｃには、それぞれ、上記の正極側の端子ネジ１０２、１０３、１０４が電気的に接続される。また、図３において、符号３０２Ａ、３０２Ｂ、３０２Ｃは、負極側の端子を示している。負極側の端子３０２Ａ、３０２Ｂ、３０２Ｃには、それぞれ、上記の負極側の端子ネジ１０５、１０６、１０７が電気的に接続される。
【００４０】
継電器本体１０８は、正極側の端子３０１Ａ、３０１Ｂ、３０１Ｃと負極側の端子３０２Ａ、３０２Ｂ、３０２Ｃとの間、すなわち図３において仮想線で示した位置に設けられ、継電器端子台１００に対して電気的に接続される。
【００４１】
正極側の端子３０１Ａと負極側の端子３０２Ａとの間には、リレー３０３が設けられている。リレー３０３は、正極側の端子３０１Ｂ・３０１Ｃと負極側の端子３０２Ｂ・３０２Ｃとを、電磁石を用いて電気的に接続したり、当該電気的な接続を切断したりする。リレー３０３を設けることにより、継電器に大電流が流れることを抑制し、継電器の電源のＯＮ／ＯＦＦを小電流でおこなうことができる。
【００４２】
正極側の端子３０１Ａ、３０１Ｂ、３０１Ｃおよび負極側の端子３０２Ａ、３０２Ｂ、３０２Ｃには、それぞれ、検電回路３０４Ａ、３０４Ｂ、３０４Ｃ、３０４Ｄ、３０４Ｅ、３０４Ｆが設けられている。検電回路３０４Ａ、３０４Ｂ、３０４Ｃ、３０４Ｄ、３０４Ｅ、３０４Ｆは、第１の発光ダイオード１１０Ａ、１１０Ｂ、１１０Ｃ、１１０Ｄ、１１０Ｅ、１１０Ｆと、第２の発光ダイオード１２０Ａ、１２０Ｂ、１２０Ｃ、１２０Ｄ、１２０Ｅ、１２０Ｆと、を備えている。
【００４３】
第１の発光ダイオード１１０Ａ、１１０Ｂ、１１０Ｃ、１１０Ｄ、１１０Ｅ、１１０Ｆは、直流の正電圧（＋電位）が印加（課電）された場合に発光する。また、第１の発光ダイオード１１０Ａ、１１０Ｂ、１１０Ｃ、１１０Ｄ、１１０Ｅ、１１０Ｆは、交流電圧が印加された場合に発光する。
【００４４】
第２の発光ダイオード１２０Ａ、１２０Ｂ、１２０Ｃ、１２０Ｄ、１２０Ｅ、１２０Ｆは、直流の負電圧（−電位）が印加（課電）された場合に発光する。また、第２の発光ダイオード１２０Ａ、１２０Ｂ、１２０Ｃ、１２０Ｄ、１２０Ｅ、１２０Ｆは、交流電圧が印加された場合に発光する。
【００４５】
継電器端子台１００において、正極側の端子３０１Ａ、３０１Ｂ、３０１Ｃおよび負極側の端子３０２Ａ、３０２Ｂ、３０２Ｃに対して直流の正電圧が印加された場合は、第１の発光ダイオード１１０Ａ、１１０Ｂ、１１０Ｃ、１１０Ｄ、１１０Ｅ、１１０Ｆが発光する。すなわち、正極側の端子３０１Ａ、３０１Ｂ、３０１Ｃおよび負極側の端子３０２Ａ、３０２Ｂ、３０２Ｃに対して直流の正電圧が印加された場合は、継電器端子台１００から赤色光が発光される。
【００４６】
また、継電器端子台１００において、正極側の端子３０１Ａ、３０１Ｂ、３０１Ｃおよび負極側の端子３０２Ａ、３０２Ｂ、３０２Ｃに対して直流の負電圧が印加された場合は、第２の発光ダイオード１２０Ａ、１２０Ｂ、１２０Ｃ、１２０Ｄ、１２０Ｅ、１２０Ｆが発光する。すなわち、正極側の端子３０１Ａ、３０１Ｂ、３０１Ｃおよび負極側の端子３０２Ａ、３０２Ｂ、３０２Ｃに対して直流の負電圧が印加された場合は、継電器端子台１００から青色光が発光される。
【００４７】
また、継電器端子台１００において、正極側の端子３０１Ａ、３０１Ｂ、３０１Ｃおよび負極側の端子３０２Ａ、３０２Ｂ、３０２Ｃに対して交流電圧が印加された場合は、経時にともなって、第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆが交互に発光する。すなわち、正極側の端子３０１Ａ、３０１Ｂ、３０１Ｃおよび負極側の端子３０２Ａ、３０２Ｂ、３０２Ｃに対して交流電圧が印加された場合は、継電器端子台１００から赤色光および青色光が交互に発光される。継電器端子台１００において、第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆが交互に発光（点灯）する間隔は、第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆを発光させるための回路の電源周波数に応じて異なる。
【００４８】
継電器端子台１００において、リレー３０３に接続された負極側の端子３０２Ａは接地されている。リレー３０３に接続された負極側の端子３０２Ａは、抵抗体３０５を介して接地されている（図３における符号３１０を参照）。上記の検電回路３０４Ｄは、リレー３０３に接続された負極側の端子３０２Ａと、当該負極側の端子３０２Ａに接続された抵抗体３０５と、の間に設けられている。
【００４９】
また、継電器端子台１００は、図３における符号３２０で示す位置において接地されている。継電器端子台１００における接地位置３２０の電源回路には、それぞれ、抵抗体３０６、３０７が接続されている。この実施の形態においては、抵抗体３０５、３０６、３０７によって抵抗部材を実現することができる。
【００５０】
抵抗体３０５、３０６、３０７は、抵抗器（ｒｅｓｉｓｔｏｒ）の中の抵抗を生じる素材によって実現される。抵抗器は、一定の電気抵抗値を得る目的で使用される電子部品であり、増幅や電気エネルギーの変換のような能動的機能をもたない受動素子とされる。
【００５１】
継電器端子台１００において、抵抗体３０５、３０６、３０７は、検電回路３０４Ａ、３０４Ｂ、３０４Ｃ、３０４Ｄ、３０４Ｅ、３０４Ｆすなわち第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆと接地との間に設けられている。
【００５２】
第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆと接地との間に抵抗体３０５、３０６、３０７を設けることにより、たとえば、第１の発光ダイオード１１０Ａ、１１０Ｂ、１１０Ｃ、１１０Ｄ、１１０Ｅ、１１０Ｆあるいは第２の発光ダイオード１２０Ａ、１２０Ｂ、１２０Ｃ、１２０Ｄ、１２０Ｅ、１２０Ｆが破損して継電器端子台１００における内部インピーダンスが低下した場合に、抵抗体３０５、３０６、３０７の抵抗値によって故障電流を低減することができる。これによって、継電器端子台１００における回路の停止、負荷における停電が発生することを防止することができる。
【００５３】
継電器本体１０８に接続された電気設備に対する各種の確認作業に際しては、継電器端子台１００における発光位置の特定、および、特定された位置が何色に発光しているか、などを目視によって判断する。継電器端子台１００における発光位置を特定することにより、充電されている端子の有無および充電されている端子の位置を確認することができる。このように、この実施の形態の継電器端子台１００は、検電機能を備えた端子台とされている。
【００５４】
また、特定された位置が何色に発光しているかを判断することにより、継電器端子台１００における各端子３０１Ａ、３０１Ｂ、３０１Ｃ、３０２Ａ、３０２Ｂ、３０２Ｃの充電状態を確認することができる。具体的には、たとえば、あらかじめ配線図などに基づいて、継電器端子台１００に対する電圧のかかり方を確認することで、継電器端子台１００においてどの第１の発光ダイオード１１０Ａ、１１０Ｂ、１１０Ｃ、１１０Ｄ、１１０Ｅ、１１０Ｆが何色に発光するか、を推定することができる。
【００５５】
あるいは、具体的には、たとえば、あらかじめ配線図などに基づいて、継電器端子台１００に対する電圧のかかり方を確認することで、継電器端子台１００においてどの第２の発光ダイオード１２０Ａ、１２０Ｂ、１２０Ｃ、１２０Ｄ、１２０Ｅ、１２０Ｆが何色に発光するか、を推定することができる。
【００５６】
そして、実際の継電器端子台１００において、発光している第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆを目視により特定するとともに、特定された発光箇所が何色の光で発光しているかを目視によって判断する。
【００５７】
その後、推定した発光箇所および発光色と、目視によって特定した実際の発光箇所および実際の発光色と、を比較する。これによって、推定と実際とが一致しているか否かに応じて、継電器端子台１００における各端子３０１Ａ、３０１Ｂ、３０１Ｃ、３０２Ａ、３０２Ｂ、３０２Ｃの充電状態が正しいかどうかを確認することができる。この実施の形態の継電器端子台１００は、このような確認を実現することができる検電機能を備えた端子台とされている。
【００５８】
このように、この実施の形態の継電器端子台１００を用いることにより、継電器端子台１００における各端子３０１Ａ、３０１Ｂ、３０１Ｃ、３０２Ａ、３０２Ｂ、３０２Ｃの充電状態が正しいかどうかを目視によって確認することができる。すなわち、この実施の形態の継電器端子台１００を用いることにより、電圧計（テスター）などを用いることなく継電器端子台１００における各端子３０１Ａ、３０１Ｂ、３０１Ｃ、３０２Ａ、３０２Ｂ、３０２Ｃの充電状態が正しいかどうかを目視によって確認することができる。
【００５９】
これによって、たとえば、継電器端子台１００が狭い場所に設置されているために電圧計（テスター）の測定端子を、測定対象とする端子ネジに安定して接触させることが難しい場合にも、継電器端子台１００における各端子３０１Ａ、３０１Ｂ、３０１Ｃ、３０２Ａ、３０２Ｂ、３０２Ｃの充電状態が正しいかどうかを目視によって確認することができる。
【００６０】
また、これによって、たとえば、継電器端子台１００が狭い場所に設置されているために電圧計（テスター）の測定端子を継電器端子台１００の正面側から視認することが難しい場合にも、継電器端子台１００における各端子３０１Ａ、３０１Ｂ、３０１Ｃ、３０２Ａ、３０２Ｂ、３０２Ｃの充電状態が正しいかどうかを目視によって確認することができる。
【００６１】
また、これによって、たとえば、狭い場所に設置された継電器端子台１００に電圧計（テスター）の測定端子を接触させるために電圧計（テスター）の測定端子を狭い場所に設置する必要がないので、電圧計（テスター）の測定値（指示値）が読み取れないあるいは誤認識することを防止し、正確性の高い検電をおこなうことができる。
【００６２】
以上説明したように、この発明にかかる実施の形態の継電器端子台１００は、電源と負荷とを電気的に接続する継電器端子台１００であって、直流の正電圧あるいは交流電圧が印加された場合に発光する第１の発光ダイオード１１０Ａ、１１０Ｂ、１１０Ｃ、１１０Ｄ、１１０Ｅ、１１０Ｆと、直流の負電圧あるいは交流電圧が印加された場合に発光する第２の発光ダイオード１２０Ａ、１２０Ｂ、１２０Ｃ、１２０Ｄ、１２０Ｅ、１２０Ｆと、を備えた検電回路３０４Ａ、３０４Ｂ、３０４Ｃ、３０４Ｄ、３０４Ｅ、３０４Ｆを備え、検電回路３０４Ａ、３０４Ｂ、３０４Ｃ、３０４Ｄ、３０４Ｅ、３０４Ｆを正極側の端子３０１Ａ、３０１Ｂ、３０１Ｃおよび負極側の端子３０２Ａ、３０２Ｂ、３０２Ｃにそれぞれ接続したことを特徴としている。
【００６３】
この発明にかかる実施の形態の継電器端子台１００によれば、継電器端子台１００における各端子３０１Ａ、３０１Ｂ、３０１Ｃ、３０２Ａ、３０２Ｂ、３０２Ｃが充電されているかどうかを目視によって確認することができる。これにより、電圧計（テスター）などを用いることなく、継電器端子台１００における各端子３０１Ａ、３０１Ｂ、３０１Ｃ、３０２Ａ、３０２Ｂ、３０２Ｃが充電されているかどうかを確認することができるので、作業対象箇所の安全性の確認の容易化を図ることができる。
【００６４】
また、この発明にかかる実施の形態の継電器端子台１００は、第１の発光ダイオード１１０Ａ、１１０Ｂ、１１０Ｃ、１１０Ｄ、１１０Ｅ、１１０Ｆと第２の発光ダイオード１２０Ａ、１２０Ｂ、１２０Ｃ、１２０Ｄ、１２０Ｅ、１２０Ｆとが、それぞれ異なる色で発光することを特徴としている。
【００６５】
この発明にかかる実施の形態の継電器端子台１００によれば、継電器端子台１００における各端子３０１Ａ、３０１Ｂ、３０１Ｃ、３０２Ａ、３０２Ｂ、３０２Ｃが充電されているかどうか、継電器端子台１００における各端子３０１Ａ、３０１Ｂ、３０１Ｃ、３０２Ａ、３０２Ｂ、３０２Ｃにおける電圧の印加状態がどのようになっているか、を目視によって確認することができる。
【００６６】
これにより、電圧計（テスター）などを用いることなく、継電器端子台１００における各端子３０１Ａ、３０１Ｂ、３０１Ｃ、３０２Ａ、３０２Ｂ、３０２Ｃの充電状態が正しいかどうかを確認することができる。そして、これによって、作業対象箇所の安全性の確認の容易化を図ることができる。
【００６７】
また、この発明にかかる実施の形態の継電器端子台１００は、正極側の端子３０１Ａ、３０１Ｂ、３０１Ｃおよび負極側の端子３０２Ａ、３０２Ｂ、３０２Ｃを支持する筐体１０１を備え、第１の発光ダイオード１１０Ａ、１１０Ｂ、１１０Ｃ、１１０Ｄ、１１０Ｅ、１１０Ｆおよび第２の発光ダイオード１２０Ａ、１２０Ｂ、１２０Ｃ、１２０Ｄ、１２０Ｅ、１２０Ｆが、筐体１０１の外方に突出していることを特徴としている。
【００６８】
この発明にかかる実施の形態の継電器端子台１００によれば、継電器端子台１００を正面側から視認することが困難な状況であっても、継電器端子台１００における各端子３０１Ａ、３０１Ｂ、３０１Ｃ、３０２Ａ、３０２Ｂ、３０２Ｃが充電されているかどうかを、目視によって確認することができる。また、この発明にかかる実施の形態の継電器端子台１００によれば、継電器端子台１００における各端子３０１Ａ、３０１Ｂ、３０１Ｃ、３０２Ａ、３０２Ｂ、３０２Ｃにおける電圧の印加状態がどのようになっているかを目視によって確認することができる。 
【００６９】
これにより、たとえば、継電器端子台１００が狭い場所に設置されているために、電圧計（テスター）の測定端子を測定対象とする端子ネジに安定して接触させることが難しい場合や、継電器端子台１００を正面側から視認することが難しい場合にも、継電器端子台１００における各端子３０１Ａ、３０１Ｂ、３０１Ｃ、３０２Ａ、３０２Ｂ、３０２Ｃの充電状態が正しいかどうかを確認することができる。そして、これによって、作業対象箇所の安全性の確認の容易化を図ることができる。
【００７０】
また、この発明にかかる実施の形態の継電器端子台１００は、発光ダイオード対１３０Ａ、１３０Ｂ、１３０Ｃ、１３０Ｄ、１３０Ｅ、１３０Ｆが、正極側および負極側における端子ネジ１０２〜１０７の配列方向（図１における紙面左右方向）において互い違いとなるように、交互に設けられている。これにより、継電器端子台１００を正面側から視認することが困難な状況であっても、継電器端子台１００における各端子３０１Ａ、３０１Ｂ、３０１Ｃ、３０２Ａ、３０２Ｂ、３０２Ｃの充電の有無および当該充電が正しいかどうかを確認することができる。そして、これによって、作業対象箇所の安全性の確認の容易化を図ることができる。
【００７１】
また、この発明にかかる実施の形態の継電器端子台１００によれば、電圧計（テスター）の測定端子を測定対象とする端子ネジに接触させる作業が不要となるため、継電器端子台１００が狭い場所に設置されているために確認が不十分となって、電圧計（テスター）の測定端子を誤った位置に接触させることによる誤測定が発生することを防止できる。
【００７２】
また、この発明にかかる実施の形態の継電器端子台１００は、検電回路３０４Ａ、３０４Ｂ、３０４Ｃ、３０４Ｄ、３０４Ｅ、３０４Ｆと接地点との間に設けられた抵抗体３０５、３０６、３０７を備えたことを特徴としている。
【００７３】
この発明にかかる実施の形態の継電器端子台１００によれば、たとえば、第１の発光ダイオード１１０Ａ、１１０Ｂ、１１０Ｃ、１１０Ｄ、１１０Ｅ、１１０Ｆあるいは第２の発光ダイオード１２０Ａ、１２０Ｂ、１２０Ｃ、１２０Ｄ、１２０Ｅ、１２０Ｆが破損した場合にも、継電器端子台１００における内部インピーダンスが低下して、継電器端子台１００における回路が停止することを防止することができる。これによって、負荷における停電が発生することを防止することができる。
【産業上の利用可能性】
【００７４】
以上のように、この発明にかかる接続機器は、電源と負荷との接続に用いる接続機器に有用であり、特に、狭い場所など作業環境の整っていない環境における検電をともなう接続機器に適している。
【符号の説明】
【００７５】
１００  継電器端子台
１１０Ａ〜１１０Ｆ  第１の発光ダイオード
１２０Ａ〜１２０Ｆ  第２の発光ダイオード
３０１Ａ〜３０１Ｃ  正極側の端子
３０２Ａ〜３０２Ｃ  負極側の端子
３０４Ａ〜３０４Ｆ  検電回路
３０５〜３０７  抵抗体
【図１】
2011141250.tif 000003
【図２】
2011141250.tif 000004
【図３】
2011141250.tif 000005